(57)【特許請求の範囲】
【請求項１】
キャップレス方式の引込み式筆記具であって、
リザーバホルダから伸延する筆記用ニブと、
リザーバホルダの一端上に配置した弁及び蓋にして、前記筆記用ニブを選択的にシールする弁及び蓋と、
蓋アセンブリにして、蓋リングと、該蓋リングから離間された保持リングと、蓋リング及び保持リングを連結する少なくとも１つの蓋アームと、を含む蓋アセンブリと、
前記リザーバホルダ上の突出部と、
を含み、
前記蓋アセンブリが弁を維持し、蓋アセンブリが、リザーバホルダ上に配置した保持ストッパによりリザーバホルダに固定され、前記保持ストッパがリザーバホルダと一体化され、
前記突出部が、筆記用ニブの突き出し中にリザーバホルダに保持リングを一時的に連結する摩擦力を発生させる筆記具。
【請求項２】
蓋が、筆記用ニブの突き出し及び引き込み中に蓋リングと弁との間に維持される請求項１の筆記具。
【請求項３】
筆記用ニブの突き出しが２段ステージにおいて実施され、当該２段ステージの第１ステージ中はリザーバホルダと蓋アセンブリとが弁に関して移動し、且つ、保持リングがリザーバホルダに一時的に連結され、第２ステージ中はリザーバホルダが弁及び蓋アセンブリに関して移動する請求項２の筆記具。
【請求項４】
リザーバホルダが、一体の保持アームを含み、保持ストッパが該一体の保持アーム上に配置される請求項３の筆記具。
【請求項５】
突出部が、リザーバホルダと一体的に形成した保持アーム上に配置される請求項４の筆記具。
【請求項６】
少なくとも１つの蓋アームの内面上にカム面を更に含み、該カム面が、筆記用ニブが蓋と接触する前に蓋を開放させるために蓋の突き出し中に蓋と相互作用する請求項５の筆記具。
【請求項７】
前記カム面が湾曲される請求項６の筆記具。
【請求項８】
蓋上に少なくとも１つのタブを更に含み、該少なくとも１つのタブが筆記用ニブの突き出し中にカム面上に載置される請求項７の筆記具。
【請求項９】
蓋が、筆記用ニブの突き出し及び引込みの全体を通して蓋アセンブリと接触状態に維持される請求項８の筆記具。
【請求項１０】
蓋リングが傾斜した内面を含み、該傾斜内面が筆記用ニブの引込み中に蓋の一部を受ける寸法とされる請求項９の筆記具。
【請求項１１】
リザーバホルダ、弁、蓋アセンブリ、を包囲するバレルを更に含み、前記バレルが、弁に接近したその内面上に配置した少なくとも１つのガイドレールを含み、傾斜内面を含む少なくとも１つの端部位置に開口を有し、蓋リングが筆記用ニブの突き出し中にバレルの傾斜内面に接触して座着する傾斜外面を含み、前記バレルがその内面上に棚部を含み、該棚部がバレルに関する弁の前方移動を防止する請求項１０の筆記具。
【請求項１２】
弁が、その外面に少なくとも１つの切り欠きを含み、該切り欠きが、少なくとも１つの蓋アームの少なくとも一部を受ける寸法を有する請求項１１の筆記具。
【請求項１３】
保持リングが、該保持リングに応力を加えた場合に該保持リングの外周を一時的に拡張させ得る拡張機能部を含む請求項１の筆記具。
【請求項１４】
前記拡張機能部がＶ字形切り欠きである請求項１３の筆記具。
【発明の詳細な説明】
【技術分野】
【０００１】
本発明は、一般に、２ステージの突き出し／引込みシーケンスを有する引込み式筆記具に関し、詳しくは、２ステージの突き出し／引込みシーケンスを有するキャップレス方式の筆記具に関する。
【背景技術】
【０００２】
マーカー及びその他の、揮発性インクを使用する筆記具では、当該筆記具の筆記用ニブその他の筆記用先端部を周囲環境からシールすることによりインクの蒸発を防止している。それらマーカー及び筆記具では伝統的に、筆記用先端部を覆い且つシールする着脱式キャップを使用している。しかしながら当該構成ではキャップの付け外しに両手を要するため使用が面倒である。加えて、筆記具から外したキャップは失くし易い。
【０００３】
キャップの当該問題を解決するための“キャップレス方式”筆記具が開発されて来た。キャップレス方式筆記具の一例は、ここでの引用により本明細書の一部とする米国特許第５，０４８，９９０号に記載される。キャップレス方式筆記具は、筆記用先端部を備える筆記用部材を含む。筆記用部材は筆記具胴部内に配置したシールシリンダ内に収受される。シールシリンダの開放端部を閉じるシールカバーがシールシリンダの前端部付近でシールシリンダ上に配置される。筆記部材移動機構が、筆記部材を前方に移動させ、筆記具胴部の前部から筆記用先端部が突出した筆記位置で筆記部材を錠止する。筆記部材移動機構には、筆記部材をシールカバーに連結し、筆記部材を引き込めるとシールカバーが後に引き戻されてシールシリンダと接触し、かくして引き込み位置の筆記用先端部の乾燥を防止させるネジ状部材（例えば、モノフィラメント糸）を含む。前記米国特許第５，０４８，９９０号に記載される如きキャップレス方式筆記具では組み立てが難かしく且つコスト高となり、また、筆記用先端部が伸張されている間、シールカバーは筆記用先端部により開放される。従って、シールカバー内面にインクが溜まり、溜まったインクによりシールシリンダとシールカバーとの間でシールが破れると筆記用先端部が早期に乾燥する恐れがある。更には、モノフィラメント糸は繰り返し使用によって疲労破損し易いため、シールカバー上に手で位置決めする必要もある。
【０００４】
以前のキャップレス方式筆記具の前述した問題の幾つかを解決することを目的として、ここでの参照により本明細書の一部とする米国特許第６，９８１，８１２号に示される如く、モノフィラメント閉鎖式の装置を、上方リング及び下方リングを複数の支持体で連結したカバーホルダにより代替させたキャップレス方式筆記具が開発された。支持体は剛性構造を有し、カバーホルダが支持装置上に配置される。カバーホルダ内に配置した弁及びバネが、弁、バネ、カバーホルダ及び支持装置、からなるサブアセンブリを構成する。当該サブアセンブリがリザーバホルダ上に配置される。当該構造により従来のキャップレス方式筆記具の問題の幾つかは解決されたが、前記米国特許第６，９８１，８１２号の装置では、そのパーツやサブアセンブリの多さ故に製造は比較的複雑化され且つ高コストのままである。しかも、支持装置がリザーバホルダ上に可動配置されるため、カバーホルダ、弁、バネ、支持装置からなるサブアセンブリが組み立てプロセス中に脱落／損傷し得るので、その製造再現性の最適化は困難である。内部アセンブリ内でリザーバホルダが適度に弛緩されるため、装置の使用寿命期間内にシールを破るに十分な距離、リザーバホルダが弁を通して後方に移動する恐れもある。かくして、筆記具には支持装置がリザーバホルダから分離する問題がある。
【先行技術文献】
【特許文献】
【０００５】
【特許文献１】米国特許第５０４８９９０号明細書
【特許文献２】米国特許第６９８１８１２号明細書
【発明の概要】
【発明が解決しようとする課題】
【０００６】
従来製品の問題を解決する２ステージの突き出し／引込みシーケンスを有する引込み式筆記具を提供することである。
【課題を解決するための手段】
【０００７】
本発明に従う引込み式筆記具は構造が簡単で、従って、既知の引込み式筆記具におけるよりも部品数またはサブアセンブリ数がずっと少ないことが好ましい。引込み式筆記具は、ツールホルダを囲むバレルを含む。ツールホルダが、その一端から伸びる延長部と、当該延長部の遠位端から伸びるツールとを含む。弁がツールを選択的に覆い、当該ツールを環境条件から保護する。弁とツールホルダとの間に偏倚要素が配置され、当該偏倚要素がツールホルダを弁から偏倚及び離間させる。可動の蓋アセンブリが弁を延長部上に維持し且つ蓋の選択的開閉を可能にさせる。蓋アセンブリは、１つ以上の蓋アームにより連結した蓋リング及び保持リングを含む。保持リングはツールホルダ上に配置され、保持ストッパがツールホルダからの当該保持リングの滑落を防止する。
【０００８】
本発明に従う他の様相において、キャップレス方式の引込み式筆記具は有益には、構造が簡単で、従って、既知のキャップレス方式の引込み式筆記具におけるよりも部品数またはサブアセンブリ数がずっと少ない。キャップレス方式の引込み式筆記具はリザーバホルダを包囲するバレルを含む。リザーバホルダは、その一端から伸びる延長部と、当該延長部の遠位端から伸びる筆記用ニブとを有する。弁が筆記用ニブを環境から選択的にシールして当該筆記用ニブの早期乾燥を防止する。弁とリザーバホルダとの間に偏倚要素が配置され、当該偏倚要素が、弁をリザーバホルダから偏倚及び離間させる。可動の蓋アセンブリが弁を延長部上に維持し且つ蓋の選択的開閉を可能にさせる。蓋アセンブリは、１つ以上の蓋アームにより連結した蓋リング及び保持リングを含む。保持リングはリザーバホルダ上に配置され、保持ストッパがリザーバホルダからの当該保持リングの滑落を防止する。
本発明のキャップレス方式の引込み式筆記具には蓋アセンブリの支持体が一体化され、かくして、組み立て中または組み立て後は筆記具は弁の外には出ない。蓋アセンブリ支持体をリザーバホルダに一体化させたことで組み立て中の許容誤差条件も緩和される。
【発明の効果】
【０００９】
従来製品の問題を解決する２ステージの突き出し／引込みシーケンスを有する引込み式筆記具が提供される。
【図面の簡単な説明】
【００１０】
【図１】図１は、本発明に従うキャップレス方式の引込み式筆記具の斜視図である。
【図２】図２は、図１のキャップレス方式の引込み式筆記具の側面図である。
【図３】図３は、本発明に従うキャップレス方式の引込み式筆記具の前部の、当該キャップレス方式の引込み式筆記具の筆記用ニブを完全引き込み位置で示す部分破除した側面図である。
【図４】図４は、図３の本発明に従うキャップレス方式の引込み式筆記具の前部の、当該キャップレス方式の引込み式筆記具の筆記用ニブを完全引き込み位置と完全突き出し位置との中間位置で示す部分破除した側面図である。
【図５】図５は、図３の本発明に従うキャップレス方式の引込み式筆記具の前部の、当該キャップレス方式の引込み式筆記具の筆記用ニブを完全突き出し位置で示す部分破除した側面図である。
【図６】図６は、本発明に従う追加的な弁及び蓋アセンブリの分解斜視図である。
【図７】図７は、本発明に従う構成の蓋アセンブリの他の実施例における、筆記具の筆記用ニブを完全引き込み位置で示す斜視図である。
【図８】図８は、筆記用ニブを完全突き出し位置で示す、図７の蓋アセンブリの斜視図である。
【図９】図９は、筆記用ニブを完全引き込み位置で示す、図７の蓋アセンブリの側面図である。
【図１０】図１０は、筆記用ニブを完全突き出し位置で示す、図７の蓋アセンブリの側面図である。
【発明を実施するための形態】
【００１１】
本発明に従うキャップレス方式の引込み式筆記具は有益には、構造が簡単であり、従って、既知のキャップレス方式の引込み式筆記具におけるよりも部品数またはサブアセンブリ数がずっと少ない。更には、本発明に従うキャップレス方式の引き込み式筆記具は、従来品におけるそれよりも製造再現性が高く且つ問題点も少ない。図１及び図２に示すキャップレス方式の引き込み式筆記具１０は、開口１４をその一端に有するバレル１２を含む。開口１４により、筆記用ニブ２４、１２４（図５、８、及び１０参照）をバレル１２から突き出し、当該筆記用ニブ２４がインクを基材（図示せず）に移行させるために位置決めされるところの完全引張（または伸張）位置に位置付け得る。キャップレス方式の引き込み式筆記具１０は、当該キャップレス方式の引き込み式筆記具１０を、例えばシャツポケット等の部分に固定するクリップ１６を随意的に含み得る。キャップレス方式の引き込み式筆記具１０は、筆記用ニブ２４を伸張及びまたは引き込むためにユーザーが押せるアクチュエータボタン１８をも含み得る。バレル１２はテーパ付きノーズセクション２０を含み得る。
【００１２】
図３〜図５に示すように、バレル１２には、筆記用ニブ２４に送るインク（またはその他流体）を保持するリザーバホルダ２２が格納される。リザーバホルダ２２は、その一端から伸延する減径された延長部２６を含む。リザーバホルダ２２は、当該リザーバホルダ２２の同じ端部から延長部２６と同様に伸びる１つ以上の一体の保持アーム２８をも含む。１つ以上の各保持アーム２８は延長部２６と実質的に平行に伸延されるが延長部からは離間され、従って、延長部２６との間に間隙を形成する。１つ以上の保持アーム２８は、キャップレス方式の引き込み式筆記具１０の組み立てを容易化するべく、延長部２６に関して接近及び離間する軸方向における可撓性を有し得る。１つ以上の保持アーム２８は、保持ストッパ３２と、当該保持ストッパ３２とリザーバホルダ２２との間の突出部３４とを含み得る。伸張／引き込みのための力を提供する偏倚部材３６を、弁４０とリザーバホルダ２２との間で延長部２６上に配置し得る。
【００１３】
延長部２６の遠位端上には弁４０が配置され、当該弁４０はその開放端にヒンジ取り付けした蓋４２を含んでいる。弁４０は、筆記用ニブ２４が完全引き込み位置にある時、延長部２６の遠位端と筆記用ニブ２４とを実質的に包囲する。弁４０及び蓋４２は協同して筆記用ニブ２４を環境からシールし、かくして揮発性のインク成分（例えば、溶剤その他）の蒸発を防止すると共に、筆記用ニブ２４の早期乾燥を防止する。蓋４２は、当該蓋４２を弁４０の開放端から選択的に離間方向に移動させ得る任意の既知の装着手段により弁４０に装着され得る。例えば、蓋４２はヒンジ構造４４により弁４０に装着し得、当該ヒンジ構造４４は蓋４２をその開放位置に随意的に偏倚させ得る。他の様相において蓋４２は、筆記用ニブ２４がその完全開放位置にある時、以下に詳しく説明する如く蓋アセンブリ６０の一部に案内及び整合させるための、球状またはその他形状の傾斜上面（図６）を含み得る。偏倚部材３６は弁４０の底面４６に接して座着し、弁４０をリザーバホルダ２２から離間する方向に偏倚させる。随意的には底面４６を凹所化し、当該偏倚部材３６をその座着位置に保持するために偏倚部材３６の一端をそこに受ける環状受け空間（図示せず）を形成し得る。弁４０は、バレル１２の内面上の棚部５２と係合するための１つ以上の肩部４８をも含み得る。弁４０は、１つ以上の肩部４８を棚部５２に押し付ける偏倚部材３６により、バレル１２に関する固定位置に保持される。
【００１４】
蓋アセンブリ６０はその一端に蓋リング６２を、その他端に保持リング６４を各含む。蓋リング６２及び保持リング６４は相互に離間され且つ少なくとも１つの蓋アーム６６により連結される。保持アームは図の例では２本示されるが１本であっても良い。保持リング６４は蓋アセンブリ６０をリザーバホルダ２２に固定する。保持リング６４は保持ストッパ３２とリザーバホルダ２２との間で１つ以上の保持アーム２８に沿って長手方向に可動である。筆記用ニブ２４がその引き込み位置（図３）にある時、保持リング６４は全体に突出部３４と保持ストッパ３２との間に位置付けられる。保持リング６４と突出部３４との間の相互作用により摩擦力が生じるが、以下に説明するように、筆記用ニブ２４は当該摩擦力に打ち勝って突き出される。突出部３４は突き出し／引き込みを、以下に説明する２つのステージに分割させる。筆記用ニブ２４が突き出されて完全伸張（または筆記）位置を取ると、保持リング６４はリザーバホルダ２２と突出部３４との間に位置付けられる。
【００１５】
蓋アーム６６の一部は弁４０の側面に位置付けた単数あるいは複数の切り欠き５０内に少なくとも部分的に配置され得る。切り欠き５０は蓋アーム６６の厚みの少なくとも一部分を収受し、かくして、蓋アセンブリ６０を収受させるためにバレル１２を有意に大型化する必要が無くなる。蓋リング６２には、傾斜外面６８と、相当する傾斜を有する球状その他形状の傾斜内面（図示せず）とを含み得る。傾斜外面６８は、筆記用ニブ２４が完全伸張位置（図５）または中間位置（図４）にある時、ノーズセクション２０の相当する傾斜を持つ傾斜内面７０に接して座着する。傾斜内面７０と傾斜外面６８とは、筆記用ニブ２４が開口１４を貫いて適正位置に伸延し得るよう、蓋リング６２を開口１４に対して整列及び位置決めする。同様に、蓋４２の上面は、蓋リング６２の傾斜した、球状あるいはその他形状の傾斜内面によりその閉位置に案内される。従って、これらの各特徴部分はシールメカニズムの再現性を増大させ且つ、可動（または非一体の）支持装置との間の潜在的問題を排除し得る。
【００１６】
バレル１２は、その内面上に配置した１つ以上のリブまたはガイド７２をも含み得る。１つ以上のガイド７２が、バレル１２の内面に沿ってチャネル７４を形成し得る。チャネル７４は蓋アーム６６の一部及びまたは弁４０の一部を受け、筆記用ニブ２４の伸張及び引き込み中に蓋アセンブリ６０及びまたは弁４０を長手方向に案内する寸法を有し得る。
図３〜図５には、キャップレス方式の引き込み式筆記具の完全引き込み（例えば閉）位置（図３）、中間位置（図４）、完全突き出し（例えば開）位置（図５）、が夫々示される。図５の完全突き出し位置は常筆記位置であり、図４の完全引き込み位置は常固定（または保管）位置である。突き出しシーケンスは図３で開始され、図５で終了する（引き込みシーケンスはその逆）。図３から開始する場合、弁４０及び蓋４２は筆記用ニブ２４を覆って閉じたシール位置にあり、蓋リング６２が蓋４２上に正の圧力を維持する。偏倚部材３６が弁４０を前方（即ち、開口１４に向けて）に押すと蓋リング６２が弁４０及び蓋４２の前進を制御し、かくして、当該開放シーケンスが開始されるまで蓋４２と弁４０とを能動的なシール接触状態に維持する。完全引き込み位置では蓋リング６２は保持リング６４に取り付けた蓋アーム６６によりその位置に維持される。保持リング６４は結局、保持アーム２８上の保持ストッパ３２によりその前進が防止される。
【００１７】
ユーザーがアクチュエータボタン１８を押し込むとリザーバホルダ２２が開口１４に向けて前進を開始する（図４）。図４には、本来、開放シーケンスの第１ステージの終了部分と、同第２ステージの開始部分とが示される。弁４０の移動は、先に説明したように棚部５２と肩部４８との間の相互作用により制御される。リザーバホルダ２２が移動すると、蓋アセンブリ６０、保持アーム２８、延長部２６もまた開口１４に向けて前進する。保持リング６４は、先に説明した如く、突出部３４と保持リング６４との間の相互作用により生じる摩擦力により、リザーバホルダ２２に向けて前方に押送される。かくして、図４に示す如き開放シーケンスの第１ステージには、弁４０及びバレル１２に関する、蓋アセンブリ６０、延長部２６、リザーバホルダ２２、の相対移動が含まれる。蓋リング６２が弁４０から離動し始め、蓋４２ともはや能動的にシール接触しなくなると、蓋リングは蓋４２（通常はヒンジ構造４４により開放位置に常偏倚される）を弁４０から離動させ始めさせる。他の実施例では蓋４２は図６を参照して以下に詳しく説明するように、蓋アセンブリ６０により強制開放または押し開け得る。
【００１８】
開放シーケンスの第１ステージ（即ち、突出部３４と保持リング６４との間の相互作用により発生する摩擦力に打ち勝つ以前）では、蓋４２は筆記用ニブ２４が蓋４２に接触する前に開放される。その結果、筆記用ニブ２４への衝撃性損傷と、蓋４２の内面上におけるインク溜まり発生が防止される。かくして、本発明のキャップレス方式の引き込み式筆記具１０によれば、蓋４２の内面上にインク溜まりが生じることによる弁４０のシール上の問題が低減される。結局、蓋リング６２はノーズセクション２０の傾斜内面７０と接触することでそれ以上の前進が防止される。
【００１９】
開放シーケンスの第２ステージ中、蓋アセンブリ６０はノーズセクション２０と接触することでそれ以上の前進が防止される。蓋リング６２の傾斜外面６８がノーズセクション２０の傾斜内面７０に接して座着すると、蓋アセンブリ６０がバレル１２に関して固定され、かくしてそれ以上の前進が防止される。当該時点に於いて、蓋４２は図４に示す完全開放位置を取る。その結果、保持リング６４と突出部３４との間の相互作用により生じる摩擦力に打ち勝つに十分な力が発生する。摩擦力に打ち勝った突出部３４は保持リング６４を貫いて摺動する。それによりリザーバホルダ２２、延長部２６、保持アーム２８、は弁４０、バレル１２、蓋アセンブリ６０に関して前進し続ける。保持リング６４は、筆記用ニブ２４とリザーバホルダ２２とが前進し続ける間、蓋リング６２がノーズセクション２０と接触することでその前進が停止される。結局、保持リング６４は、当該保持リング６４がリザーバホルダ２２上に座着する位置に到達する。かくして、保持リング６４はその完全突き出し位置においてリザーバホルダ２２と突出部３４との間に配置される。リザーバホルダ２２がバレル１２及び蓋アセンブリ６０に関して移動し続けるに従い、筆記用ニブ２４は結局開口１４の外側に伸延し、筆記時の完全突き出し位置（図５）を取る。
【００２０】
図６には蓋アセンブリ６０の内面上に位置付けた随意的なカム要素８０が示される。カム要素８０は、湾曲され得る１つ以上のカム面８２を含む。カム面８２の湾曲度は、蓋４２の所望の開放速度に基づいたものであり得る。例えば、カム面８２の開始部８４の湾曲を穏やかにすると蓋４２の初期開放速度はより漸進的となり、湾曲度を強めると蓋４２の初期開放速度は速くなる。同様に、カム面８２の終端部８６の湾曲度をもっと小さくすると蓋４２の初期閉鎖速度はより漸進的になり、湾曲度を強めると速くなる。図６の実施例に示す蓋４２は１つ以上の耳部９０を含んでいる。１つ以上の耳部９０はカム面８２の内部に位置決めされ、開放シーケンス中に当該カム面８２に沿って移動する。図６の実施例では耳部９０は開放シーケンス全体を通してカム面８２との接触を維持する。例えば、完全引き込み位置では耳部９０はカム面８２上に載置され、蓋４２の上部は蓋リング６２と接触する。しかしながら随意的には、完全引き込み位置又は完全突き出し位置において耳部９０をカム面８２との接触状態から随意的に外し得る。蓋アセンブリ６０が前方に移動すると、カム面８２が、当該カム面８２に沿った方向に耳部９０（及び蓋４２）を押送または強制移動させる。
【００２１】
図７〜図１０には本発明に従う構成の蓋アセンブリの他の実施例が例示される。図７〜図１０の、図１〜図６の各実施例に示した各要素と同じ各要素は同じ番号を１００番台として示される。リザーバホルダ１２２は筆記用先端部または筆記用ニブ１２４等の塗布要素に送るためのインク（あるいはその他溶液）を保持する。リザーバホルダ１２２はリザーバホルダ１２２の一端から伸延する減径された延長部１２６を含む。蓋アセンブリ１６０をリザーバホルダ１２２に固定するための保持ストッパ１３２及び突出部１３４が延長部１２６の一端に接近する位置でリザーバホルダ１２２上に位置付けられる。延長部１２６上には偏倚部材１３６が配置され、当該偏倚部材１３６が蓋アセンブリ１６０に伸張及び引き込みの各力を提供する。
【００２２】
延長部１２６の遠位端には弁１４０が配置され、弁１４０はその開放端にヒンジ取り付けした蓋１４２を有する。弁１４０は、筆記用ニブ１２４が完全引き込み位置にある時、延長部１２６の遠位端と筆記用ニブ１２４とを実質的に包囲する。弁１４０と蓋１４２とは協同して筆記用ニブ１２４を環境からシールし、かくしてインク（またはその他流体）の蒸発と、筆記用ニブ１２４の早期乾燥とを防止する。蓋１４２は、弁１４０の開放端から当該蓋を選択的に取り外せる任意の既知の装着手段により弁１４０に取り付け得る。例えば、蓋１４２はヒンジ構造１４４を用いて弁１４０に装着し得、ヒンジ構造１４４は蓋１４２をその開放位置に随意的に偏倚させ得る。偏倚部材１３６が弁１４０の底面１４６に接触して座着され、弁１４０を偏倚してリザーバホルダ１２２から離動させる。弁１４０は、バレル（図７〜図１０には示されない）の内面上の棚部（図７〜図１０には示されない）と係合するための１つ以上の肩部１４８を含み得る。弁１４０は、偏倚部材１３６によりバレルに関して固定位置に保持され、前記偏倚部材１３６が、１つ以上の前記肩部１４８を、図３〜図５に示した実施例における如く、１つ以上の肩部１４８を棚部に押し付ける。
【００２３】
蓋アセンブリ１６０は、その一端に蓋リング１６２を、他端に保持リング１６４を含む。蓋リング１６２と保持リング１６４とは相互に離間され且つ少なくとも１つの蓋アーム１６６により連結される。保持リング１６４はリザーバホルダ１２２上に配置され、かくして蓋アセンブリ１６０をリザーバホルダ１２２に固定する。保持リング１６４はリザーバホルダ１２２の一部に沿って長手方向に可動である。保持リング１６４の長手方向移動は保持ストッパ１３２により１方向に制限される。筆記用ニブ１２４がその引き込み位置（図７及び図９）にある時、保持リング１６４は突出部１３４と保持ストッパ１３２との間に位置付けられる。筆記用ニブが完全伸張位置（図８及び図１０）にある時、保持リング１６４は突出部１３４の下方に位置付けられる。言い換えると、突出部１３４は筆記用ニブが完全伸張位置または筆記位置にある時、保持リング１６４と保持ストッパ１３２との間に位置付けられる。蓋リング１６２は傾斜外面１６８と、相当する角度を有する球形またはその他形状の内面（図示せず）とを含み得る。傾斜外面１６８は、筆記用ニブ１２４が完全伸張位置（図８及び図１０）にある時、ノーズセクション（図７〜図１０には示されない）の傾斜内面に接触して座着する。傾斜内面と傾斜外面１６８とは、筆記用ニブ１２４がバレルを貫いて適正位置に伸張されるよう協同して蓋リング１６２を整合させ且つ位置決めする。同様に、蓋１４２の球状またはその他形状の傾斜上面が、蓋リング１６２の、球状またはその他形状の傾斜内面によりその閉位置に案内される。
【００２４】
図７及び図９では弁１４０と蓋１４２とは筆記用ニブ１２４を覆って閉じた位置で示される。蓋リング１６２は蓋１４２上に正の圧力を維持する。弁１４０がアクチュエーターボタンを動作させて前方に押送する際、蓋リング１６２が弁１４０と蓋１４２との前進を制御し、かくして、蓋１４２と弁１４０との間の正のシール接触状態が維持される。保持リング１６４は保持ストッパ３２によりその前進が防止される。
【００２５】
キャップレス方式の引き込み式筆記具は、２ステージでの突き出し／引き込みシーケンスを有する。その第１ステージではリザーバホルダ１２２と蓋アセンブリ１６０とが弁１４０に関して移動して筆記用ニブ１２４が蓋１４２に衝突する前に蓋１４２を開放させる。ユーザーがアクチュエータボタン（図７〜図１０には示されない）を押し込むと、リザーバホルダ１２２がバレル（図７〜図１０には示されない）内の開口に向けて前進を開始する。弁１４０の移動は先に説明した如く棚部と肩部１４８との間の相互作用により制御される。リザーバホルダ１２２が移動することにより、蓋アセンブリ１６０と延長部１２６とがやはり前進する。保持リング１６４は、先に説明したように突出部１３４と保持リング１６４との間に生じる摩擦力でこれら各要素が一時的に相互連結されるため、リザーバホルダ１２２と共に前方に移動する。蓋リング１６２が弁１４０から離動し始め、もはや蓋１４２とシール接触しなくなる（即ち、突出部１３４と保持リング１６４との間の相互作用に打ち勝った後）と、蓋１４２（ヒンジ構造１４４によりその開放位置に常偏倚される）が開き始める。別の実施例では蓋１４２は例えば、先に議論した如くカム面を介して蓋アセンブリ１６０に連結されることで強制開放または押し開かれ得る。蓋１４２が、ニブ１２４に接触する前に開くのが有益である。結局、筆記用ニブ１２４への衝撃損傷及び蓋１４２の内面へのインク溜まりが防止される。かくして、蓋リング１６２は、先に説明した如く、ノーズセクション（図７〜図１０には示されない）の傾斜内面と接触することでそれ以上の前進が防止される。
【００２６】
第２開放ステージ中、リザーバホルダ１２２と延長部１２６とは弁１４０及びバレル１１２及び蓋アセンブリ１６０に関して前方に移動し続ける。蓋リング１６２の傾斜外面１６８がノーズセクションの傾斜外面に接触して座着すると蓋アセンブリ１６０がバレルに関して固定されてそれ以上前進できなくなる。当該時点において蓋１４２は完全開放位置を取る。リザーバホルダ１２２が前方に移動し続けることで、保持リング１６４と突出部１３４との間の相互作用により生じる摩擦力に打ち勝つに十分な力が発生する。その結果、保持リング１６４は前進を停止し、リザーバホルダ１２２は蓋アセンブリ１６０に関して前進し続ける。完全突き出し位置では突出部１３４は保持リング１６４と保持ストッパ１３２との間に位置付けられる。リザーバホルダ１２２、延長部１２６、筆記用ニブ１２４、がバレル、弁１４０及び蓋アセンブリ１６０に関して移動し続けると、筆記用ニブ１２４はバレルの外側に伸張され、完全に突き出された筆記位置を取る。
【００２７】
図７〜図１０の実施例では、保持リング１６４は、リザーバホルダと一体化した保持アーム（図３〜図５の実施例の如く）を覆って配置されるのとは逆に、リザーバホルダ１２２を覆って配置される。保持ストッパ１３２が、当該保持ストッパ１３２を超えての保持リング１６４の前進を防止する。図７〜図１０の実施例の蓋アセンブリ１６０は、一体アームの必要性を有益に排除する。かくして、図７〜図１０の実施例の蓋アセンブリ１６０は、図３〜図５の実施例のそれに関して材料及びアセンブリパーツの全体量を低減させる。
【００２８】
図７〜図１０の実施例の保持リング１６４はＶ字形切り欠き１９４等の伸張機能部を１つ以上含む。応力下に保持リングを伸張させ得る任意の機能部分を使用できる。例えば、保持リング１６４を変形させてその直径または外周を一時的に大型化させ得る任意の機能部分を使用し得る。組み立て中、保持リング１６４は延長部１２６、弁１４０、偏倚部材１３６を覆って摺動する。保持リング１６４を保持ストッパ１３２を覆う状態に押し付けると、Ｖ字形切り欠き１９４が直線方向に一層伸張されて保持リング１６４の外周が増大され、かくして保持リングは保持ストッパ１３２を越えて通過してリザーバホルダ１２２上の適正位置に配置され得る。Ｖ字形切り欠き１９４は、保持ストッパ１３２を越えると元の形に復元し、それにより、保持リング１６４がリザーバホルダ１２２に滑落しないよう、その外周を十分に減少させる（即ち、保持リング１６４の前進が保持ストッパ１３２により制御される）。
【００２９】
キャップレス方式の引込み式筆記具は一般に以下の手順で形成し得る。先ず、偏倚部材３６、１３６をリザーバホルダ２２、１２２の一部を覆って配置する。次に、弁４０、１４０を筆記用ニブ１２４を覆って配置してリザーバホルダ２２、１２２の一部に載置させる。次いで、弁４０、１４０及び偏倚部材３６、１３６を覆って蓋アセンブリ６０、１６０を配置してこれら弁４０、１４０及び偏倚部材３６、１３６を捕捉及び維持させる。最後に、蓋アセンブリ６０、１６０、弁４０、１４０、偏倚部材３６、１３６、リザーバホルダ２２、１２２、を、バレル１２内に配置することで捕捉及び維持させる。かくして、開示されたキャップレス方式の引込み式筆記具は任意種類のサブアセンブリを含まない。その結果、時間及び全パーツ数は有益に減少される。代替し得る組み立て手順では、偏倚部材３６、１３６及びリザーバホルダ２２、１２２を覆って蓋アセンブリ６０、１６０を配置する前にこれら蓋アセンブリ６０、１６０内に弁４０、１４０を挿通させ得る。
【００３０】
上述した弁、蓋アセンブリ、リザーバホルダ、バレル、は限定的な可撓性及び耐久性を入手し得る任意の材料またはそれらの組み合わせにより形成し得る。それらの材料には、これに限定しないが、熱可塑性プラスチックエラストマー、及び従来からの熱可塑性プラスチック、例えば、ポリプロピレン、ナイロン、等が含まれる。
本明細書に開示するキャップレス方式の引込み式筆記具は、開閉力を生じさせるためのバネ等の偏倚部材を含むものとして特に例示したが、これに限定しないが、螺旋バネ、板バネ、等の、色々の力発生メカニズムまたは偏倚部材を使用できる。
【００３１】
また、蓋を有する事実上任意の機器において、蓋アセンブリ、弁、及び蓋を使用できる。例えば、当業者には認識し得るように、上述した如き蓋アセンブリはマーカーペン、マーカー、フェルトペン、ボールペンその他等の色々の引込み式筆記具で使用可能である。筆記具に加え、蓋アセンブリもまた、これに限定しないが、塗料ブラシアプリケーター、修正液アプリケーター、ネイルポリシュアプリケーター、マスカラアプリケーター、等のメーキャップアプリケーター、香水アプリケーター、を含むその他色々の流体被着ツールにも適用可能である。更には、引込みメカニズムはその他ツール、例えば、ｐＨ検出用具、ナイフ、流体サンプリング装置、フラッシュライト、レーザーポインタその他、と組み合わせて使用しても良い。引込み式ツールの場合、当該ツールをツールホルダ、弁、ツールを選択的に覆う蓋上に配置し得る。
【００３２】
例えば、引込み式ツールには、ツールホルダから延びるツールと、環境要因から保護するために当該ツールを覆う弁と、を含み得る。蓋アセンブリはツールホルダ上に弁を維持し得、蓋リングと、保持リングと、少なくとも１つの蓋アームと、を含む。蓋アセンブリは保持ストッパによりリザーバホルダ上に維持され得る。
以上、本発明を実施例を参照して説明したが、本発明の内で種々の変更をなし得ることを理解されたい。
【符号の説明】
【００３３】
１０  キャップレス方式の引込み式筆記具
１２  バレル
１４  開口
１６  クリップ
１８  アクチュエータボタン
２０  ノーズセクション
２２  リザーバホルダ
２４  筆記用ニブ
２６  延長部
２８  保持アーム
３２  保持ストッパ
３４  突出部
３６  偏倚部材
４０、１４０  弁
４２  蓋
４４  ヒンジ構造
４６  底面
４８  肩部
５２  棚部
６０  蓋アセンブリ
６２  蓋リング
６４  保持リング
６６  蓋アーム
６８  傾斜外面
７０  傾斜内面
７２  ガイド
７４  チャネル
８０  カム要素
８２  カム面
８４  開始部
８６  終端部
９０  耳部
１１２  バレル
１２２  リザーバホルダ
１２４  筆記用ニブ
１２６  延長部
１３２  保持ストッパ
１３４  突出部
１３６  偏倚部材
１４０  弁
１４２  蓋
１４４  ヒンジ構造
１４６  底面
１４８  肩部
１６０  蓋アセンブリ
１６２  蓋リング
１６４  保持リング
１６６  蓋アーム
１６８  傾斜外面
【図１】
0005753096.tif 000002
【図２】
0005753096.tif 000003
【図３】
0005753096.tif 000004
【図４】
0005753096.tif 000005
【図５】
0005753096.tif 000006
【図６】
0005753096.tif 000007
【図７】
0005753096.tif 000008
【図８】
0005753096.tif 000009
【図９】
0005753096.tif 000010
【図１０】
0005753096.tif 000011